(57)【要約】【課題】  郵送された隠蔽葉書の隠蔽用紙片を葉書本体片から剥離して開封する際に、用紙破れ発生もなく、開封し易い隠蔽葉書を提供するものである。【解決手段】  基紙の略中央に設けられた折目線を介して、葉書本体片と隠蔽用紙片とが連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられてなる隠蔽葉書において、前記隠蔽用紙片の上端部及び下端部に前記剥離剤層が、２層積層して設けられていることを特徴とする隠蔽葉書。【選択図】        図１
2011235651.tif 000002
【特許請求の範囲】
【請求項１】
基紙の略中央に設けられた折目線を介して、葉書本体片と隠蔽用紙片とが連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられてなる隠蔽葉書において、前記隠蔽用紙片の上端部及び下端部に前記剥離剤層が、２層積層して設けられていることを特徴とする隠蔽葉書。
【請求項２】
前記剥離剤層が、前記透明性シートの下面に設けられていることを特徴とする請求項１記載の隠蔽葉書。
【請求項３】
前記隠蔽用紙片の下端部の角部の前記剥離剤層が前記隠蔽用紙片の上端部に向かって拡がりを有するように設けられていることを特徴とする請求項１又は２記載の隠蔽葉書。
【発明の詳細な説明】
【技術分野】
【０００１】
本発明は、記載された内容の秘密保持を可能とした隠蔽葉書に関し、特に、郵送された葉書が受取人に渡る前に、その葉書に記入された情報が第三者に盗み見られることを防止するとともに、受取人が、開封しやすい隠蔽葉書に関するものである。
【背景技術】
【０００２】
従来、郵送された葉書に記載された内容が、受取人に渡る前の段階で、第三者に盗み見られないように工夫された隠蔽葉書が種々開発され、既に使用されている。これらの隠蔽葉書については、例えば、葉書サイズの略２倍の折畳み用紙を用いて折り用ミシン目を介し、隠蔽片（上片）、情報を記入する葉書本体片（下片）からなる二折葉書において、葉書本体片に隠蔽用紙片を接着し隠蔽状態にされた葉書を受取人が、その葉書を受け取った後に、見開きできるように隠蔽片との間に透視できしかも層間が剥離可能に重合された接合材の両側に透明な粘着剤を有する透明シートなどを設けた情報隠蔽葉書作成用紙片が知られている（例えば、特許文献１参照）。また、透明性基材の片面に、粘着剤層を介して剥離シートを設け、該透明性基材の他の片面は、不透明性基材上に剥離可能に接着されている隠蔽ラベル構造を有する申込帳票が提案されている（例えば特許文献２参照）。さらには、折り用ミシン線を介して情報記入用紙片と情報隠蔽用紙片とが連接され、情報隠蔽用紙片上に、接着剤層と、上面に透明な粘着剤層及び下面に剥離剤層を有する透明シートと、剥離紙とが順次重ねられてなる葉書作成用紙であって、透明性シートの下面の一部と、情報隠蔽用紙片の上面の一部とを直接接着する接着剤層が設けられている葉書を本出題人は、特願２００４−２１６７１８号にて提案している。
【０００３】
しかしながら、上記の特許文献１に開示された隠蔽葉書は、隠蔽片がダブルタック方式であり、剥離可能に重合した接合材の両側に透明な粘着剤層を有する非常に複雑な多層構造となっており、コストが高くつくという問題がある。上記特許文献２に開示された隠蔽ラベルは、シンプルな構造となり、低コスト化されたが、記入情報を隠蔽状態にするために、剥離シートを剥離する際に、剥離シートと共に透明基材まで一緒に剥離させてしまう不手際を生じることがある。また、郵送された隠蔽葉書を受取人が、開封に際し、隠蔽用紙片と透明基材との界面で剥離ができず、隠蔽用紙片が破れる場合がある。本出題人が、特願２００４−２１６７１８号にて提案した葉書作成用紙は、低コストで、しかも、記入情報を隠蔽状態にするために、剥離シートを剥離する際に、剥離シートと共に透明基材まで一緒に剥離させてしまうという問題は解消されているが、郵送された隠蔽葉書を受取人が、開封するときに、隠蔽用紙片と透明基材との界面で剥離ができず、隠蔽用紙片が破れる場合があるという問題点がある。
【０００４】
前記隠蔽用紙片の破れについて鋭意、原因追求の結果、次のことが判明した。隠蔽葉書は、一般的には、汎用のフォーム輪転印刷機でオフセット印刷が施されている。多色印刷を行う場合には、複数の印刷ユニットを有する多色印刷機が用いられ、隠蔽用紙片の剥離剤層も印刷により形成される。ここで、印刷について説明する。オフセット印刷機の印刷ユニットには、版胴（印刷胴）及びブランケット胴（転写胴）がそれぞれ設けられている。版胴には、印刷される絵柄（画線）を焼き付けた刷版が取付けられており、インク供給装置によりインクが版胴に供給されると、この刷版上の絵柄がブランケット胴に一旦転写され、その後、ブランケット胴に転写された絵柄が走行する基紙ウェブに印刷される。また、刷版は、例えばアルミニウムにより形成された板状の部材であって、版胴に取り付けられている。さらに、刷版の装着作業について簡単に説明すると、刷版の装着時には、刷版の一端側（くわえ側）を版胴に形成されたギャップの一端部に係合させて、刷版を版胴に巻き付ける。そして、刷版の他端側（くわえ尻側）を上記ギャップに押し込み、この他端部をクランプ装置で固定する。これにより、刷版が版胴に巻き着けられた状態で固定されるのである。また、版胴と同様に、ブランケット胴の外周面にも絵柄が転写されるゴム版が設けられており、版胴のギャップと同様なギャップが形成されている。このように通常のオフセット印刷機では、上述したようなギャップが存在するため、このギャップの部分には絵柄を形成することができない。このために隠蔽用紙片の剥離剤層のように、ギャップ部にも剥離剤層を設け、隠蔽用紙片の天地方向に連続して剥離剤層が必要な場合には、別の印刷ユニットを使用して見当を合わせてギャップ部に剥離剤層を印刷して、連続した剥離剤層が設けられている。しかし、剥離剤層の印刷見当ズレが発生した場合、隠蔽用紙片の一部に剥離剤層が存在しない部分が発生する。特に、剥離剤層が存在しない部分が隠蔽用紙片の剥離開始位置に一致した場合、隠蔽葉書の受取人が隠蔽用紙片を開封しようとした場合に、剥離剤層のない部分が透明基材と強接着された状態となり、隠蔽用紙片の破れ発生が起きる。
【先行技術文献】
【特許文献】
【０００５】
【特許文献１】特開平１０−２６４５５９号公報
【特許文献２】特開２００４−９７２０号公報
【発明の概要】
【発明が解決しようとする課題】
【０００６】
本発明は、上記のような従来の問題点に鑑み、低コストで、しかも、郵送された隠蔽葉書の隠蔽用紙片を葉書本体片から剥離して開封する際に、用紙破れ発生もなく、開封し易い隠蔽葉書を提供するものである。
【課題を解決するための手段】
【０００７】
上記課題を解決するために、請求項１記載の本発明は、基紙の略中央に設けられた折目線を介して、葉書本体片と隠蔽用紙片とが連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられてなる隠蔽葉書において、前記隠蔽用紙片の上端部及び下端部に前記剥離剤層が、２層積層して設けられていることを特徴とするものである。
【０００８】
請求項２記載の本発明は、請求項１記載の隠蔽葉書において、前記剥離剤層が、前記透明性シートの下面に設けられていることを特徴とするものである。
【０００９】
請求項３記載の本発明は、請求項１又は２記載の隠蔽葉書において、前記隠蔽用紙片の下端部の角部の前記剥離剤層が前記隠蔽用紙片の上端部に向かって拡がりを有するように設けられていることを特徴とするものである。
【発明の効果】
【００１０】
本発明の隠蔽葉書は、隠蔽用紙片上に、折目線にて二つ折りされ内側となる面の上端部及び下端部に前記剥離剤層が、２層積層して設けられているために、多少の見当ズレが発生しても剥離剤層が存在しない部分がなくなり、郵送された隠蔽葉書の受取人は、隠蔽葉書の隠蔽用紙片を葉書本体片から剥離して開封する際に、用紙破れが生じないという効果を奏する。
【００１１】
また、剥離剤層が、２層積層されている部分を隠蔽用紙片の上端部及び下端部なるように設けることにより、該部が、隠蔽用紙片の剥離開始位置になり容易に開封できるという効果を有する。
【図面の簡単な説明】
【００１２】
【図１】本発明の隠蔽葉書の一実施形態を示す斜視図である。
【図２】図１のＡ−Ａ線断面図である。
【図３】図１のＢ−Ｂ線断面図である。
【図４】本発明の隠蔽葉書の剥離剤層２層積層例の説明図である。
【図５】本発明の隠蔽葉書の一実施形態の剥離紙の一部を剥離させた状態を示す断面図である。
【図６】本発明の隠蔽葉書の一実施形態で隠蔽用紙片を葉書本体片に接着させた状態を示す断面図である。
【図７】本発明の一実施形態で葉書の受取人が葉書を見開きにした状態を示す断面図である。
【図８】本発明の一実施形態で葉書の受取人が葉書を見開いた状態を説明するための斜視図である。
【図９】本発明の他の実施形態を示す図１のＡ−Ａ線に相当する断面図である
【図１０】本発明の他の実施形態を示す図１のＢ−Ｂ線に相当する断面図である。
【図１１】本発明の他の実施形態を示す隠蔽用紙片の基紙の上面に剥離剤層を設けた状態を示す平面図である。
【発明を実施するための形態】
【００１３】
以下図面を用いて、本発明の実施形態について説明する。
図１は、本発明の隠蔽葉書の一実施形態を示す斜視図、図２は、図１のＡ−Ａ線断面図、図３は、図１のＢ−Ｂ線断面図、図４は、本発明の隠蔽葉書の剥離剤層２層積層例の説明図である。図５は、本発明の隠蔽葉書の一実施形態の剥離紙の一部を剥離させた状態を示す断面図、図６は、本発明の隠蔽葉書の一実施形態で隠蔽用紙片を葉書本体片に接着させた状態を示す断面図、図７は、本発明の一実施形態で葉書の受取人が葉書を見開きにした状態を示す断面図、図８は、本発明の一実施形態で葉書の受取人が葉書を見開いた状態を説明するための斜視図である。図９は、本発明の他の実施形態を示す図１のＡ−Ａ線に相当する断面図である。図１０は、本発明の他の実施形態を示す図１のＢ−Ｂ線に相当する断面図である。図１１は、本発明の他の実施形態を示す隠蔽用紙片の基紙の上面に剥離剤層を設けた状態を示す平面図である。
【００１４】
図１に示すように本発明の隠蔽葉書１は、基紙２の略中央に設けられたミシン目３（折目線に対応）を介して、葉書本体片１０と隠蔽用紙片２０とが折畳み可能に連接されている。
【００１５】
そして、葉書本体片１０の上面には、情報記入欄１１が設けられている。また、隠蔽用紙片２０の上面には、透明シート２１と剥離紙２２とが順次重ねられ、剥離紙２２の表面には隠蔽葉書１の使用説明や剥離紙２２の剥離箇所の指示等が印刷されている。
【００１６】
図２を用いて、本発明の隠蔽葉書の構成を詳しく説明する。図２に示すように、隠蔽用紙片２０の上面には、ミシン目３に近接する一部分を除き（以下、強接着部２６と呼称する）、剥離剤層２３を設け、さらに接着剤層２４を介して、透明シート２１が強接着部２６を除き剥離可能に積層されている。剥離剤層２３はウレタンアクリレート、アクリレート等を主成分とするＵＶインキでパターン状にオフセット印刷、活版印刷等により形成される。剥離性は前記ＵＶインキにシリコン系の材料を適宜に添加して調整してもよい。また、隠蔽性が要求される場合には、前記のＵＶインキに墨、セピア等の濃色あるいはそれらの混色で剥離剤層に着色し、着色剥離剤層にできる。接着剤層２４は酢酸ビニル系やアクリル系やあるいはその混合系や合成ゴム系等の合成樹脂エマルジョンタイプなどの接着剤が使用される。さらに、該透明シート２１の上面には、透明な粘着剤層２５が設けられ、その上面に剥離紙２２が剥離可能に貼付されている。粘着剤層２５に用いる粘着剤は、アクリル系、ゴム系等が使用され、エマルジョンタイプ、溶剤タイプいずれでもよい。該透明シート２１の基材にはグラシン紙等の透明性のある紙やプラスチックフィルムや不織布が用いられるが、廃棄性、分別回収性の面からグラシン紙等の紙基材が望ましい。また、強接着部２６は透明シート２１の下面の一部と隠蔽用紙片２０の上面の一部が直接、接着され、剥離困難に接着されている。該強接着部２６を設けることにより、隠蔽葉書１の使用者が、剥離紙２２を剥離する際に、剥離紙２２のミシン目３に近接した端部から指で剥離紙２２を剥離したときに剥離紙２２のみが容易に剥離でき、透明シート２１が基紙２から誤って剥離されないように保護されている。また、隠蔽用紙片の下面には、ベタ印刷あるいは地紋印刷などを施してもよく隠蔽性の要求度合いから適宜選択すればよい。
【００１７】
次に、図３を用いて、本発明の要部を説明する。図３に示すように、隠蔽用紙片２０の基紙２の上面には、剥離剤層２３が設けられ、隠蔽用紙片２０の上端部２７及び下端部２８の両端部には数ミリ程度の幅で帯状に剥離剤層２３の上面に剥離剤層２３’、２３’が積層されている。さらに接着剤層２４を介して、透明シート２１が剥離可能に積層されている。該透明シート２１の上面には、透明な粘着剤層２５が設けられ、その上面に剥離紙２２が剥離可能に貼付されている。隠蔽用紙片の上端部と下端部に２層積層された剥離剤層が設けられることにより、郵送された隠蔽葉書を受取人が開封する際に、隠蔽用紙片の破れがなく、且つ、容易に開封できるものである。隠蔽用紙片２０の上端部２７及び下端部２８の両端部に設けられる帯状の剥離剤層２３’、２３’の幅は、容易に剥離できれば特に限定されるものではないが、２〜３ミリが望ましい。尚、本発明の実施形態では、図２に示したように、透明シート２１の下面側における一側端縁部に、該透明シート２１の下面の一部と、前記隠蔽用紙片２０の基紙２の上面の一部とが直接接着されている例を示したが、前記のような直接接着されている部分を設けなくても同じ効果が得られるものである。
【００１８】
次に、オフセット輪転印刷機を用いて印刷による剥離剤層２３、２３’の積層例について説明する。図４に、隠蔽葉書を１列（ウェブの走行方向と直交する方向）、２面（ウェブの流れ方向）付けで隠蔽葉書Ａ、Ｂの剥離剤層を２色印刷した例を示した。図中において、隠蔽葉書の剥離剤層が１層部分の流れ方向の寸法をｈ、隠蔽葉書の上端部及び下端部に設けられた剥離剤層２層積層された部分の流れ方向の寸法をｗ、隠蔽葉書の上端部から下端部までの寸法をｙとして示した。また、剥離剤層の印刷部分を斜線で示した。１色目の剥離剤層印刷版には、隠蔽葉書Ａの剥離剤層印刷部を流れ方向寸法でａ＝２ｗ＋ｈ＋２ｗ、非印刷部（隠蔽葉書Ｂの剥離剤層１層部に相当）を流れ方向寸法でｈを設けた。２色目の剥離剤層印刷版には、非印刷部（隠蔽葉書Ａの剥離剤層１層部に相当）を流れ方向寸法でｈ、隠蔽葉書Ｂの剥離剤層印刷部を流れ方向寸法でｂ＝２ｗ＋ｈ＋２ｗを設けた。１色目の印刷ユニットで隠蔽葉書Ａの剥離剤層を印刷し、次の印刷ユニットで隠蔽葉書Ｂの剥離剤層を隠蔽葉書Ａの剥離剤層に剥離剤層が流れ方向寸法２ｗ重なるように見当を合わせて印刷し、以後、繰返し印刷される。そうすることにより、基紙ウェブの流れ方向に剥離剤層１層部（ｈ）と剥離剤層２層重なり部（２ｗ）とが連続して、交互に印刷形成される。該剥離剤層２層重なり部２ｗの流れ方向の中点Ａ1から次の重なり部２ｗの中点Ｂ1までを隠蔽葉書Ｂとし、さらに、次の中点Ａ2までを隠蔽葉書Ａとする。そうすることにより、上端部及び下端部に剥離剤層が２層積層された隠蔽葉書が寸法ｙ＝（ｗ＋ｈ＋ｗ）で形成されるものである。
【００１９】
次に、図５〜図８を用いて本発明の実施形態に係る隠蔽葉書を使用する手順について説明する。まず、隠蔽葉書１の利用者は、図５に示すように、葉書本体片１０の上面に設けられた情報記入欄１１に個人情報等の必要事項を記入し、必要に応じて、葉書本体片１０の下面に設けられた宛先記入欄を記入する。次に、剥離紙２２の一端部を指で掴み剥離紙２２を剥離し、粘着剤層２５を露出させる。この場合、前述の通り、強接着部２６により透明シート２１が基紙２から誤って剥離されないように保護させている。その後、ミシン目３から隠蔽用紙片２０を折畳んで、図６に示すように、粘着剤層２５の面を葉書本体片１０の上面に設けられた情報記入欄１１に重ね合わせて接着することにより情報記入欄１１が隠蔽される。そして、単体葉書として投函すればよい。
【００２０】
次に、この葉書を受け取った受取人は、図７、図８に示すように隠蔽用紙片２０の一端部を摘んで剥離すると、隠蔽用紙片２０に設けられている剥離剤層２３と、透明シート２１に接着している接着剤層２４との界面から剥離され、葉書本体片１０の情報記入欄１１に記載された内容を、透明シート２１を透して視認できるものである。また、接着剤層２４と剥離剤層２３とは再接着が困難なために、第三者に開封され盗み見された場合、その事実が残り確認可能であり、また第三者に開封されることを未然に防ぐことができる。
【００２１】
次に、図９を用いて、本発明の他の実施形態について説明する。前記の実施形態と構成及び機能が異なる部分のみ符号を変え、同じ部分は同符号を用い重複する部分は説明を省略する。図９に示すように、隠蔽用紙片２０の上面には、接着剤層３４を介して、下面にミシン目３に近接する透明シート２１の一側端縁部を除き（以下、強接着部３６と呼称する）、剥離剤層３３を設けた透明シート２１が強接着部３６を除き剥離可能に積層されている。剥離剤層３３はＵＶインキを用いて、パターン状にオフセット印刷、活版印刷等により形成される。尚、剥離性は前記ＵＶインキにシリコン系の材料を適宜に添加して調整してもよい。さらに、該透明シート２１の上面には、透明な粘着剤層２５が設けられ、その上面に剥離紙２２が剥離可能に貼付されている。
【００２２】
図１０を用いて、剥離剤層の要部を説明する。図１０に示すように、隠蔽用紙片２０の基紙２の上面には、接着剤層３４を介して、下面に剥離剤層３３が設けられ、さらに、隠蔽用紙片２０の上端部３７及び下端部３８の両端部には数ミリ程度の幅で帯状に剥離剤層３３に剥離剤層３３’が積層された透明シート２１が剥離可能に積層されている。該透明シート２１の上面には、透明な粘着剤層２５が設けられ、その上面に剥離紙２２が剥離可能に貼付されている。このような構成にすることにより、この隠蔽葉書の受取人は、開封に際して、隠蔽用紙片２０の一端部を摘んで、剥離すると透明シート２１に設けられている剥離剤層３３、３３’と、隠蔽用紙片２０の基紙２と接着している接着剤層３４との界面から剥離され、隠蔽用紙２０の上面に接着剤層３４が残り、葉書本体片１０の情報記入欄１１に記載された内容を、透明シート２１を透して視認できるものである。尚、本発明の実施形態では、透明シート２１の下面側における一側端縁部に、該透明シート２１の下面の一部と、前記隠蔽用紙片２０の基紙２の上面の一部とが直接接着されている例を示したが、前記のような直接接着されている部分を設けなくても同じ効果が得られるものである。
【００２３】
次に、図１１を用いて、本発明の他の実施形態について説明する。前記本発明の一実施形態と同じ積層構成で、隠蔽用紙片２０の基紙２上面に設けられた２層積層された剥離剤層２３、２３’のパターンを変更したものである。積層構成は図２、図３に示す通りであり、重複するので説明を省略する。図１１は、隠蔽用紙片２０の基紙の上面に剥離剤層を設けた状態を示す平面図であり、図中の斜線は剥離剤層２３及び２３’の２層積層された剥離剤積層部を示し、隠蔽用紙片２０の空白部は剥離剤層２３のみの部分を示す。図１１に示すように該剥離剤積層部は上端部２７と下端部２８に設けられ、さらに隠蔽用紙片２０の下端部２８の角部には剥離剤層２３及び２３’の２層積層された三角形状の剥離剤積層部２９が設けられている。このような構成にすることにより、郵送された隠蔽葉書を受取人が開封する際に、三角形状の剥離剤積層部２９の設けられた角部を開封開始口として容易に開封できるものである。三角形状の剥離剤積層部２９は下端部２８の剥離剤積層部より上端部２７に向かって拡がりを有するように設ければよく形状は特に限定されるものではない。三角、円弧、角等のいずれの形状でもよいが、剥離剤の使用量が少なくてコストが安くなる三角形状が好ましい。また、三角形状の剥離剤積層部２９は上端部２７の角部に設けてもよい。
【符号の説明】
【００２４】
１                              隠蔽葉書
２                              基紙
３                              ミシン目
１０                              葉書本体片
１１                              情報記入欄
２０                              隠蔽用紙片
２１                              透明シート
２２                              剥離紙
２３、２３’、３３、３３’        剥離剤層
２４、３４                        接着剤層
２５                              粘着剤層
２６、３６                        強接着部
２７、３７                        上端部
２８、３８                        下端部
２９                              三角形状の剥離剤積層部
ｈ                                剥離剤層が１層部分の流れ方向の寸法
ｗ                                隠蔽葉書の上端部及び下端部に設けられた剥
離剤層２層積層された部分の流れ方向の寸法
ｙ                                隠蔽葉書の上端部から下端部までの寸法
ａ                                隠蔽葉書Ａの剥離剤層印刷部の流れ方向寸法
ｂ                                隠蔽葉書Ｂの剥離剤層印刷部の流れ方向寸法
Ａ1、Ｂ1、Ａ2                    剥離剤層２層重なり部の流れ方向の中点
【図１】
2011235651.tif 000003
【図２】
2011235651.tif 000004
【図３】
2011235651.tif 000005
【図４】
2011235651.tif 000006
【図５】
2011235651.tif 000007
【図６】
2011235651.tif 000008
【図７】
2011235651.tif 000009
【図８】
2011235651.tif 000010
【図９】
2011235651.tif 000011
【図１０】
2011235651.tif 000012
【図１１】
2011235651.tif 000013
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
基紙の略中央に設けられた折目線を介して、葉書本体片と隠蔽用紙片とが連接され、前記隠蔽用紙片上に、前記折目線にて二つ折りされ内側となる面に剥離剤からなる剥離層が設けられ、接着剤層を介して、上面に透明な粘着剤層を有する透明性シートと、剥離紙とが順次重ねられてなる隠蔽葉書において、前記剥離層が、前記隠蔽用紙片の上面の平面領域における上端縁部に形成されると共に前記剥離剤が２層直に積層して設けられている第１の領域と、前記隠蔽用紙片の上面の平面領域における下端縁部に形成されると共に前記剥離剤が２層直に積層して設けられている第２の領域と、前記隠蔽用紙片の上面の平面領域における前記第１の領域及ぴ第２の領域に挟まれた領域に形成されると共に前記剥離剤が１層積層して設けられている第３の領域と、から構成されていることを特徴とする隠蔽葉書。
【請求項２】
前記剥離層が、前記透明性シートの下面に設けられていることを特徴とする請求項１記載の隠蔽葉書。
【請求項３】
前記隠蔽用紙片の下端部の角部の前記剥離層が前記隠蔽用紙片の上端部に向かって拡がりを有するように設けられていることを特徴とする請求項１又は２記載の隠蔽葉書。
【手続補正２】
【補正対象書類名】明細書
【補正対象項目名】０００７
【補正方法】変更
【補正の内容】
【０００７】
上記課題を解決するために、請求項１記載の本発明は、基紙の略中央に設けられた折目線を介して、葉書本体片と隠蔽用紙片とが連接され、前記隠蔽用紙片上に、前記折目線にて二つ折りされ内側となる面に剥離剤からなる剥離層が設けられ、接着剤層を介して、上面に透明な粘着剤層を有する透明性シートと、剥離紙とが順次重ねられてなる隠蔽葉書において、前記剥離層が、前記隠蔽用紙片の上面の平面領域における上端縁部に形成されると共に前記剥離剤が２層直に積層して設けられている第１の領域と、前記隠蔽用紙片の上面の平面領域における下端縁部に形成されると共に前記剥離剤が２層直に積層して設けられている第２の領域と、前記隠蔽用紙片の上面の平面領域における前記第１の領域及ぴ第２の領域に挟まれた領域に形成されると共に前記剥離剤が１層積層して設けられている第３の領域と、から構成されていることを特徴とするものである。
【手続補正３】
【補正対象書類名】明細書
【補正対象項目名】０００８
【補正方法】変更
【補正の内容】
【０００８】
請求項２記載の本発明は、請求項１記載の隠蔽葉書において、前記剥離層が、前記透明性シートの下面に設けられていることを特徴とするものである。
【手続補正４】
【補正対象書類名】明細書
【補正対象項目名】０００９
【補正方法】変更
【補正の内容】
【０００９】
請求項３記載の本発明は、請求項１又は２記載の隠蔽葉書において、前記隠蔽用紙片の下端部の角部の前記剥離層が前記隠蔽用紙片の上端部に向かって拡がりを有するように設けられていることを特徴とするものである。
【手続補正５】
【補正対象書類名】明細書
【補正対象項目名】００１０
【補正方法】変更
【補正の内容】
【００１０】
本発明の隠蔽葉書は、隠蔽用紙片上に、折目線にて二つ折りされ内側となる面の上端部及び下端部に前記剥離剤が２層直に積層して設けられているために、多少の見当ズレが発生しても剥離層が存在しない部分がなくなり、郵送された隠蔽葉書の受取人は、隠蔽葉書の隠蔽用紙片を葉書本体片から剥離して開封する際に、用紙破れが生じないという効果を奏する。
【手続補正６】
【補正対象書類名】明細書
【補正対象項目名】００１１
【補正方法】変更
【補正の内容】
【００１１】
また、剥離層が、２層積層されている部分を隠蔽用紙片の上端部及び下端部なるように設けることにより、該部が、隠蔽用紙片の剥離開始位置になり容易に開封できるという効果を有する。
【手続補正７】
【補正対象書類名】明細書
【補正対象項目名】００１２
【補正方法】変更
【補正の内容】
【００１２】
【図１】本発明の隠蔽葉書の一実施形態を示す斜視図である。
【図２】図１のＡ−Ａ線断面図である。
【図３】図１のＢ−Ｂ線断面図である。
【図４】本発明の隠蔽葉書の剥離層積層例の説明図である。
【図５】本発明の隠蔽葉書の一実施形態の剥離紙の一部を剥離させた状態を示す断面図である。
【図６】本発明の隠蔽葉書の一実施形態で隠蔽用紙片を葉書本体片に接着させた状態を示す断面図である。
【図７】本発明の一実施形態で葉書の受取人が葉書を見開きにした状態を示す断面図である。
【図８】本発明の一実施形態で葉書の受取人が葉書を見開いた状態を説明するための斜視図である。
【図９】本発明の他の実施形態を示す図１のＡ−Ａ線に相当する断面図である
【図１０】本発明の他の実施形態を示す図１のＢ−Ｂ線に相当する断面図である。
【図１１】本発明の他の実施形態を示す隠蔽用紙片の基紙の上面に剥離層を設けた状態を示す平面図である。
【手続補正８】
【補正対象書類名】明細書
【補正対象項目名】００１３
【補正方法】変更
【補正の内容】
【００１３】
以下図面を用いて、本発明の実施形態について説明する。
図１は、本発明の隠蔽葉書の一実施形態を示す斜視図、図２は、図１のＡ−Ａ線断面図、図３は、図１のＢ−Ｂ線断面図、図４は、本発明の隠蔽葉書の剥離層積層例の説明図である。図５は、本発明の隠蔽葉書の一実施形態の剥離紙の一部を剥離させた状態を示す断面図、図６は、本発明の隠蔽葉書の一実施形態で隠蔽用紙片を葉書本体片に接着させた状態を示す断面図、図７は、本発明の一実施形態で葉書の受取人が葉書を見開きにした状態を示す断面図、図８は、本発明の一実施形態で葉書の受取人が葉書を見開いた状態を説明するための斜視図である。図９は、本発明の他の実施形態を示す図１のＡ−Ａ線に相当する断面図である。図１０は、本発明の他の実施形態を示す図１のＢ−Ｂ線に相当する断面図である。図１１は、本発明の他の実施形態を示す隠蔽用紙片の基紙の上面に剥離層を設けた状態を示す平面図である。
【手続補正９】
【補正対象書類名】明細書
【補正対象項目名】００１６
【補正方法】変更
【補正の内容】
【００１６】
図２を用いて、本発明の隠蔽葉書の構成を詳しく説明する。図２に示すように、隠蔽用紙片２０の上面には、ミシン目３に近接する一部分を除き（以下、強接着部２６と呼称する）、剥離剤からなる剥離層２３を設け、さらに接着剤層２４を介して、透明シート２１が強接着部２６を除き剥離可能に積層されている。剥離層２３はウレタンアクリレート、アクリレート等を主成分とするＵＶインキでパターン状にオフセット印刷、活版印刷等により形成される。剥離性は前記ＵＶインキにシリコン系の材料を適宜に添加して調整してもよい。また、隠蔽性が要求される場合には、前記のＵＶインキに墨、セピア等の濃色あるいはそれらの混色で剥離層に着色し、着色剥離層にできる。接着剤層２４は酢酸ビニル系やアクリル系やあるいはその混合系や合成ゴム系等の合成樹脂エマルジョンタイプなどの接着剤が使用される。さらに、該透明シート２１の上面には、透明な粘着剤層２５が設けられ、その上面に剥離紙２２が剥離可能に貼付されている。粘着剤層２５に用いる粘着剤は、アクリル系、ゴム系等が使用され、エマルジョンタイプ、溶剤タイプいずれでもよい。該透明シート２１の基材にはグラシン紙等の透明性のある紙やプラスチックフィルムや不織布が用いられるが、廃棄性、分別回収性の面からグラシン紙等の紙基材が望ましい。また、強接着部２６は透明シート２１の下面の一部と隠蔽用紙片２０の上面の一部が直接、接着され、剥離困難に接着されている。該強接着部２６を設けることにより、隠蔽葉書１の使用者が、剥離紙２２を剥離する際に、剥離紙２２のミシン目３に近接した端部から指で剥離紙２２を剥離したときに剥離紙２２のみが容易に剥離でき、透明シート２１が基紙２から誤って剥離されないように保護されている。また、隠蔽用紙片の下面には、ベタ印刷あるいは地紋印刷などを施してもよく隠蔽性の要求度合いから適宜選択すればよい。
【手続補正１０】
【補正対象書類名】明細書
【補正対象項目名】００１７
【補正方法】変更
【補正の内容】
【００１７】
次に、図３を用いて、本発明の要部を説明する。図３に示すように、隠蔽用紙片２０の基紙２の上面には、剥離層２３が設けられ、隠蔽用紙片２０の上端部２７及び下端部２８の両端部には数ミリ程度の幅で帯状に剥離層２３の上面に剥離層２３’、２３’が積層されている。さらに接着剤層２４を介して、透明シート２１が剥離可能に積層されている。該透明シート２１の上面には、透明な粘着剤層２５が設けられ、その上面に剥離紙２２が剥離可能に貼付されている。隠蔽用紙片の上端部と下端部に２層積層された剥離層が設けられることにより、郵送された隠蔽葉書を受取人が開封する際に、隠蔽用紙片の破れがなく、且つ、容易に開封できるものである。隠蔽用紙片２０の上端部２７及び下端部２８の両端部に設けられる帯状の剥離層２３’、２３’の幅は、容易に剥離できれば特に限定されるものではないが、２〜３ミリが望ましい。尚、本発明の実施形態では、図２に示したように、透明シート２１の下面側における一側端縁部に、該透明シート２１の下面の一部と、前記隠蔽用紙片２０の基紙２の上面の一部とが直接接着されている例を示したが、前記のような直接接着されている部分を設けなくても同じ効果が得られるものである。
【手続補正１１】
【補正対象書類名】明細書
【補正対象項目名】００１８
【補正方法】変更
【補正の内容】
【００１８】
次に、オフセット輪転印刷機を用いて印刷による剥離層２３、２３’の積層例について説明する。図４に、隠蔽葉書を１列（ウェブの走行方向と直交する方向）、２面（ウェブの流れ方向）付けで隠蔽葉書Ａ、Ｂの剥離層を２色印刷した例を示した。図中において、隠蔽葉書の剥離層が１層部分の流れ方向の寸法をｈ、隠蔽葉書の上端部及び下端部に設けられた剥離層２層積層された部分の流れ方向の寸法をｗ、隠蔽葉書の上端部から下端部までの寸法をｙとして示した。また、剥離層の印刷部分を斜線で示した。１色目の剥離層印刷版には、隠蔽葉書Ａの剥離層印刷部を流れ方向寸法でａ＝２ｗ＋ｈ＋２ｗ、非印刷部（隠蔽葉書Ｂの剥離層１層部に相当）を流れ方向寸法でｈを設けた。２色目の剥離層印刷版には、非印刷部（隠蔽葉書Ａの剥離層１層部に相当）を流れ方向寸法でｈ、隠蔽葉書Ｂの剥離層印刷部を流れ方向寸法でｂ＝２ｗ＋ｈ＋２ｗを設けた。１色目の印刷ユニットで隠蔽葉書Ａの剥離層を印刷し、次の印刷ユニットで隠蔽葉書Ｂの剥離層を隠蔽葉書Ａの剥離層に剥離層が流れ方向寸法２ｗ重なるように見当を合わせて印刷し、以後、繰返し印刷される。そうすることにより、基紙ウェブの流れ方向に剥離層１層部（ｈ）と剥離層２層重なり部（２ｗ）とが連続して、交互に印刷形成される。該剥離層２層重なり部２ｗの流れ方向の中点Ａ1から次の重なり部２ｗの中点Ｂ1までを隠蔽葉書Ｂとし、さらに、次の中点Ａ2までを隠蔽葉書Ａとする。そうすることにより、上端部及び下端部に剥離層が２層積層された隠蔽葉書が寸法ｙ＝（ｗ＋ｈ＋ｗ）で形成されるものである。
【手続補正１２】
【補正対象書類名】明細書
【補正対象項目名】００２０
【補正方法】変更
【補正の内容】
【００２０】
次に、この葉書を受け取った受取人は、図７、図８に示すように隠蔽用紙片２０の一端部を摘んで剥離すると、隠蔽用紙片２０に設けられている剥離層２３と、透明シート２１に接着している接着剤層２４との界面から剥離され、葉書本体片１０の情報記入欄１１に記載された内容を、透明シート２１を透して視認できるものである。また、接着剤層２４と剥離層２３とは再接着が困難なために、第三者に開封され盗み見された場合、その事実が残り確認可能であり、また第三者に開封されることを未然に防ぐことができる。
【手続補正１３】
【補正対象書類名】明細書
【補正対象項目名】００２１
【補正方法】変更
【補正の内容】
【００２１】
次に、図９を用いて、本発明の他の実施形態について説明する。前記の実施形態と構成及び機能が異なる部分のみ符号を変え、同じ部分は同符号を用い重複する部分は説明を省略する。図９に示すように、隠蔽用紙片２０の上面には、接着剤層３４を介して、下面にミシン目３に近接する透明シート２１の一側端縁部を除き（以下、強接着部３６と呼称する）、剥離層３３を設けた透明シート２１が強接着部３６を除き剥離可能に積層されている。剥離層３３はＵＶインキを用いて、パターン状にオフセット印刷、活版印刷等により形成される。尚、剥離性は前記ＵＶインキにシリコン系の材料を適宜に添加して調整してもよい。さらに、該透明シート２１の上面には、透明な粘着剤層２５が設けられ、その上面に剥離紙２２が剥離可能に貼付されている。
【手続補正１４】
【補正対象書類名】明細書
【補正対象項目名】００２２
【補正方法】変更
【補正の内容】
【００２２】
図１０を用いて、剥離層の要部を説明する。図１０に示すように、隠蔽用紙片２０の基紙２の上面には、接着剤層３４を介して、下面に剥離層３３が設けられ、さらに、隠蔽用紙片２０の上端部３７及び下端部３８の両端部には数ミリ程度の幅で帯状に剥離層３３に剥離層３３’が積層された透明シート２１が剥離可能に積層されている。該透明シート２１の上面には、透明な粘着剤層２５が設けられ、その上面に剥離紙２２が剥離可能に貼付されている。このような構成にすることにより、この隠蔽葉書の受取人は、開封に際して、隠蔽用紙片２０の一端部を摘んで、剥離すると透明シート２１に設けられている剥離層３３、３３’と、隠蔽用紙片２０の基紙２と接着している接着剤層３４との界面から剥離され、隠蔽用紙２０の上面に接着剤層３４が残り、葉書本体片１０の情報記入欄１１に記載された内容を、透明シート２１を透して視認できるものである。尚、本発明の実施形態では、透明シート２１の下面側における一側端縁部に、該透明シート２１の下面の一部と、前記隠蔽用紙片２０の基紙２の上面の一部とが直接接着されている例を示したが、前記のような直接接着されている部分を設けなくても同じ効果が得られるものである。
【手続補正１５】
【補正対象書類名】明細書
【補正対象項目名】００２３
【補正方法】変更
【補正の内容】
【００２３】
次に、図１１を用いて、本発明の他の実施形態について説明する。前記本発明の一実施形態と同じ積層構成で、隠蔽用紙片２０の基紙２上面に設けられた２層積層された剥離層２３、２３’のパターンを変更したものである。積層構成は図２、図３に示す通りであり、重複するので説明を省略する。図１１は、隠蔽用紙片２０の基紙の上面に剥離層を設けた状態を示す平面図であり、図中の斜線は剥離層２３及び２３’の２層積層された剥離剤積層部を示し、隠蔽用紙片２０の空白部は剥離層２３のみの部分を示す。図１１に示すように該剥離剤積層部は上端部２７と下端部２８に設けられ、さらに隠蔽用紙片２０の下端部２８の角部には剥離層２３及び２３’の２層積層された三角形状の剥離剤積層部２９が設けられている。このような構成にすることにより、郵送された隠蔽葉書を受取人が開封する際に、三角形状の剥離剤積層部２９の設けられた角部を開封開始口として容易に開封できるものである。三角形状の剥離剤積層部２９は下端部２８の剥離剤積層部より上端部２７に向かって拡がりを有するように設ければよく形状は特に限定されるものではない。三角、円弧、角等のいずれの形状でもよいが、剥離剤の使用量が少なくてコストが安くなる三角形状が好ましい。また、三角形状の剥離剤積層部２９は上端部２７の角部に設けてもよい。
【手続補正１６】
【補正対象書類名】明細書
【補正対象項目名】００２４
【補正方法】変更
【補正の内容】
【００２４】
１                              隠蔽葉書
２                              基紙
３                              ミシン目
１０                              葉書本体片
１１                              情報記入欄
２０                              隠蔽用紙片
２１                              透明シート
２２                              剥離紙
２３、２３’、３３、３３’        剥離層
２４、３４                        接着剤層
２５                              粘着剤層
２６、３６                        強接着部
２７、３７                        上端部
２８、３８                        下端部
２９                              三角形状の剥離剤積層部
ｈ                                剥離層が１層部分の流れ方向の寸法
ｗ                                隠蔽葉書の上端部及び下端部に設けられた剥
離剤層２層積層された部分の流れ方向の寸法
ｙ                                隠蔽葉書の上端部から下端部までの寸法
ａ                                隠蔽葉書Ａの剥離層印刷部の流れ方向寸法
ｂ                                隠蔽葉書Ｂの剥離層印刷部の流れ方向寸法
Ａ1、Ｂ1、Ａ2 剥離層２層重なり部の流れ方向の中点